(57)【要約】【課題】  複数個の支持体を額縁状に組んだ２つのフレーム部材で表示パネルを支持する表示装置におけるフレーム部材の剛性の低下を防ぐ。【解決手段】  表示パネルの表示面側から該表示パネルを支持する額縁状の第１のフレーム部材と、該表示パネルの前記表示面の裏面側から該表示パネルを支持する額縁状の第２のフレーム部材とを有し、第１のフレーム部材および第２のフレーム部材は、それぞれ、角部において分割された複数個の支持体からなり、第１のフレーム部材の第１の角部は、該第１の角部から第１の方向に延びる第１の支持体と該第１の方向とは異なる第２の方向に延びる第２の支持体とが、該第１の方向に沿った面で分割されており、第２のフレーム部材の前記第１の角部と平面でみて重なる角部は、該角部から第１の方向に延びる第３の支持体と第２の方向に延びる第４の支持体とが、前記第２の方向に沿った面で分割されている表示装置。【選択図】        図３（ａ）
2008052039.tif 000002
【特許請求の範囲】
【請求項１】
表示パネルと、該表示パネルの表示面側から該表示パネルの外周部を支持する額縁状の第１のフレーム部材と、該表示パネルの前記表示面の裏面側から該表示パネルの外周部を支持する額縁状の第２のフレーム部材とを有する表示装置であって、
前記第１のフレーム部材および前記第２のフレーム部材は、それぞれ、角部において分割された複数個の支持体からなり、
前記第１のフレーム部材の第１の角部は、該第１の角部から第１の方向に延びる第１の支持体と、該第１の方向とは異なる第２の方向に延びる第２の支持体とが、該第１の方向に沿った分割面で分割されており、
第２のフレーム部材の前記第１のフレーム部材の前記第１の角部と平面でみて重なる角部は、該角部から前記第１の方向に延びる第３の支持体と、前記第２の方向に延びる第４の支持体とが、前記第２の方向に沿った分割面で分割されていることを特徴とする表示装置。
【請求項２】
前記第１のフレーム部材の前記第２の支持体は、前記第１の支持体との分割面に、前記第１の支持体と平面でみて重なる固定部位を有し、
前記第１の支持体および前記第２の支持体、ならびに前記第２のフレーム部材の前記第４の支持体は、前記第１の支持体と前記第２の支持体の固定部位とが平面でみて重なる領域において、ねじ止め固定されていることを特徴とする請求項１に記載の表示装置。
【請求項３】
前記表示パネルは、液晶表示パネルであることを特徴とする請求項１または請求項２に記載の表示装置。
【発明の詳細な説明】
【技術分野】
【０００１】
本発明は、表示装置に関し、特に、表示パネルを支持する額縁状の２つのフレーム部材が、それぞれ、複数の支持体を額縁状に組んだフレーム部材からなる表示装置に適用して有効な技術に関するものである。
【背景技術】
【０００２】
従来、テレビや、パーソナルコンピュータ（PC: Personal Computer）向けのディスプレイなどの表示装置として、液晶表示装置が用いられている。
【０００３】
前記液晶表示装置は、一対の基板の間に液晶材料を封入した液晶表示パネルを有し、液晶表示パネルや、該液晶表示パネルに表示させる映像または画像などの信号を生成するプリント回路板などを、フレーム部材により一体的に支持している。また、透過型や半透過型の液晶表示装置の場合、観察者からみて液晶表示パネルの後方（背後）に、バックライトユニットと呼ばれる光源が配置されており、該バックライトユニットも、前記液晶表示パネルなどとともに前記フレーム部材によって一体的に支持されている。
【０００４】
前記液晶表示装置において、フレーム部材を用いて液晶表示パネルを支持するときには、たとえば、液晶表示パネルの表示面側に配置される額縁状の第１のフレーム部材（一般に、上フレームと呼ばれる）と、該表示面の裏面側に配置される額縁状の第２のフレーム部材（一般に、中フレームまたはモールドフレームと呼ばれる。）で、表示パネルの外周部を挟むようにして支持する。このとき、たとえば、第２のフレーム部材は、液晶表示パネルの切断端面（外周端面）と対向する部位を有する。
【０００５】
また、第１のフレーム部材は、一般に、金属を用いて形成されており、１枚の金属板を額縁状に打ち抜き、折り曲げて成形したものや、１本の一方向に長尺な金属板を折り曲げて額縁状に成形したものが用いられていた。また、第２のフレーム部材は、従来、プラスチック（樹脂）を用いて形成されており、金型を用いた射出成形で額縁状に成形したのものが用いられていた。
【０００６】
しかしながら、上記のような方法で、たとえば、液晶テレビなどの大型の液晶表示装置の第１のフレーム部材や第２のフレーム部材を形成すると、製造コストが上昇したり、寸法誤差によりフレーム部材が変形し、液晶表示パネルの表示品質などに悪影響を及ぼしたりするという問題がある。
【０００７】
そこで、液晶テレビなどの大型の液晶表示装置では、たとえば、複数個の支持体を額縁状に組んで１つのフレーム部材にするという方法が提案されている（たとえば、特許文献１を参照。）。前記特許文献１に記載された方法では、金属フレーム（第１のフレーム部材）を表示パネルの上下左右の辺（端辺）毎に４つの枠体（支持体）に分割し、それぞれの枠体をコーナー部（角部）で連結して額縁状にしている。
【０００８】
【特許文献１】特開２００３−３４４８２６号公報
【発明の開示】
【発明が解決しようとする課題】
【０００９】
しかしながら、前記特許文献１に記載された方法の場合、金属フレーム（第１のフレーム部材）２つの枠体を連結しているコーナー部において、衝撃に対する強度が低くなっており、たとえば、搬送中などに生じる振動等で２つの枠体の連結部分が開いてしまったり、表示装置にねじれが生じたりするという問題があった。
【００１０】
また、このような問題は、たとえば、第１のフレーム部材とともに、第２のフレーム部材も複数の枠体（支持体）に分割している場合に生じやすい。
【００１１】
つまり、従来の表示装置において、複数個の支持体を額縁状に組んだ２つのフレーム部材で表示パネルを支持する場合、各フレーム部材の剛性が低くなり、表示パネルの支持が不十分でぐらついたり、ねじれたりするという問題があった。
【００１２】
本発明の目的は、複数個の支持体を額縁状に組んだ２つのフレーム部材で表示パネルを支持する表示装置におけるフレーム部材の剛性の低下を防ぐことが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）表示パネルと、該表示パネルの表示面側から該表示パネルの外周部を支持する額縁状の第１のフレーム部材と、該表示パネルの前記表示面の裏面側から該表示パネルの外周部を支持する額縁状の第２のフレーム部材とを有する表示装置であって、前記第１のフレーム部材および前記第２のフレーム部材は、それぞれ、角部において分割された複数個の支持体からなり、前記第１のフレーム部材の第１の角部は、該第１の角部から第１の方向に延びる第１の支持体と、該第１の方向とは異なる第２の方向に延びる第２の支持体とが、該第１の方向に沿った分割面で分割されており、第２のフレーム部材の前記第１のフレーム部材の前記第１の角部と平面でみて重なる角部は、該角部から前記第１の方向に延びる第３の支持体と、前記第２の方向に延びる第４の支持体とが、前記第２の方向に沿った分割面で分割されている表示装置。
【００１６】
（２）前記（１）の表示装置において、前記第１のフレーム部材の前記第２の支持体は、前記第１の支持体との分割面に、前記第１の支持体と平面でみて重なる固定部位を有し、前記第１の支持体および前記第２の支持体、ならびに前記第２のフレーム部材の前記第４の支持体は、前記第１の支持体と前記第２の支持体の固定部位とが平面でみて重なる領域において、ねじ止め固定されている表示装置。
【００１７】
（３）前記（１）または（２）の表示装置において、前記表示パネルは、液晶表示パネルである表示装置。
【発明の効果】
【００１８】
本発明の表示装置によれば、前記第１のフレーム部材の角部で分割されている２つの支持体の分割面、すなわち２つの支持体が連結している部分で開いたりねじれたりしやすい外力の方向と、前記第２のフレーム部材の２つの支持体の分割面で開いたりねじれたりしやすい外力の方向とが異なる。そのため、たとえば、第１のフレーム部材の分割面で２つの支持体が開いたりねじれたりする外力が加わったときに、該第１のフレーム部材の分割面と交差する第２のフレーム部材の支持体により、第１のフレームの分割面が開いたりねじれたりすることを抑制できる。その結果、各フレーム部材を複数個の支持体に分割したことによる剛性の低下を防ぐことができる。
【００１９】
また、第１のフレーム部材の前記第２の支持体は、前記第１の支持体との分割面に、前記第１の支持体と平面でみて重なる固定部位を設けることが望ましい。このとき、前記第１の支持体および前記第２の支持体、ならびに前記第２のフレーム部材の前記第４の支持体は、前記第１の支持体と前記第２の支持体の固定部位とが平面でみて重なる領域において、ねじ止め固定することが望ましい。
【００２０】
また、本発明は、複数個の支持体を額縁状に組んだ第１のフレーム部材と、別の複数個の支持体を額縁状に組んだ第２のフレーム部材とで、表示パネルの外周部を挟むようにして支持する表示装置であれば、どのような表示装置にも適用できる。つまり、本発明において、表示パネルは、どのような表示形式（駆動形式）でもよい。本発明を適用できる表示装置の表示パネルとしては、たとえば、液晶表示パネルが挙げられる。
【発明を実施するための最良の形態】
【００２１】
以下、本発明について、図面を参照して実施の形態（実施例）とともに詳細に説明する。
なお、実施例を説明するための全図において、同一機能を有するものは、同一符号を付け、その繰り返しの説明は省略する。
【実施例】
【００２２】
図１（ａ）は、本発明による一実施例の液晶表示装置の概略構成の一例を示す模式平面図である。図１（ｂ）は、図１（ａ）のＡ−Ａ’線における断面構成の一例を示す模式断面図である。
図２（ａ）は、本実施例の液晶表示装置におけるモールドフレームの概略構成を示す模式平面図である。図２（ｂ）は、本実施例の液晶表示装置における上フレームの概略構成を示す模式平面図である。
【００２３】
本実施例の液晶表示装置は、たとえば、図１（ａ）および図１（ｂ）に示すように、液晶表示パネル１と、液晶表示パネル１の外周部を表示面１ａ側から支持する第１のフレーム部材（以下、上フレームという）２と、液晶表示パネルの外周部を表示面１ａの裏面１ｂ側から支持する第２のフレーム部材（以下、中フレームという）３とを有する。上フレーム２と中フレーム３は、たとえば、図１（ａ）のＡ−Ａ’線の位置とは異なる位置で、ねじ止め固定されている。
【００２４】
このとき、液晶表示パネル１の表示面１ａと上フレーム２の間には、たとえば、クッション材４が介在しており、液晶表示パネル１の裏面１ｂと中フレーム３の間には、たとえば、別のクッション材５が介在している。また、図示は省略しているが、液晶表示パネル１の切断端面（外周端面）と中フレーム３の間に、さらに別のクッション材またはクッション材４，５のいずれかと一体的なクッション材が介在していることもある。
【００２５】
また、本実施例の液晶表示装置は、透過型の液晶表示装置であり、観察者からみて液晶表示パネル１の後方（背面）にあたる位置に、たとえば、蛍光管６および反射板７ならびに光拡散板などの光学シート８を有するバックライトユニットが配置されている。
【００２６】
このとき、バックライトユニットは、たとえば、概略箱形に成形された第３のフレーム部材（以下、下フレームという）９に収容されている。またこのとき、下フレーム９は、たとえば、外周部が中フレーム３と接するように折り曲げられており、中フレーム３と下フレーム９は、図１（ａ）のＡ−Ａ’線の位置とは異なる位置で、ねじ止め固定されている。またさらに、反射板７および光学シート８は、それぞれの外周部を中フレーム３と下フレーム９で挟むようにして支持されており、中フレーム３と光学シート８の間には、たとえば、クッション材１０が介在している。
【００２７】
また、本実施例の液晶表示装置において、中フレーム３は、たとえば、図２（ａ）に示すように、ｘ方向に延びる第１の支持体３０１および第２の支持体３０２と、ｙ方向に延びる第３の支持体３０３および第４の支持体３０４とを連結して額縁状にしている。このとき、各支持体は、液晶表示パネル１の角部（図示しない）に相当する位置で連結している。またこのとき、中フレーム３の各支持体の連結面３ｓは、ｙ方向と平行な平面である。つまり、本実施例では、額縁状の中フレーム３を４つの角部において、ｙ方向と平行な平面（連結面３ｓ）で分割している。以下、中フレーム３を構成する各支持体３０１，３０２，３０３，３０４の連結面３ｓを中フレーム３の分割面という。
【００２８】
また、上フレーム２も、たとえば、図２（ｂ）に示すように、ｘ方向に延びる第１の支持体２０１および第２の支持体２０２と、ｙ方向に延びる第３の支持体２０３および第４の支持体２０４とを連結して額縁状にしている。このとき、各支持体は、液晶表示パネル１の角部（図示しない）に相当する位置で連結している。ただし、上フレーム２の各支持体の連結面２ｓは、ｘ方向と平行な平面である。つまり、本実施例では、額縁状の上フレーム２を４つの角部において、ｘ方向と平行な平面（連結面２ｓ）で分割している。以下、上フレーム２を構成する各支持体２０１，２０２，２０３，２０４の連結面２ｓを上フレーム２の分割面という。
【００２９】
図３（ａ）は、本実施例の液晶表示装置における角部の具体的な構成の一例を示す模式平面図である。図３（ｂ）は、図３（ａ）のＢ−Ｂ’線における断面構成の一例を示す模式断面図である。図３（ｃ）は、図３（ａ）のＣ−Ｃ’線における断面構成の一例を示す模式断面図である。
【００３０】
本実施例の液晶表示装置において、図１（ａ）に示した液晶表示装置の左上の角部の領域ＡＲ１における上フレーム２および中フレーム３の構成は、たとえば、図３（ａ）および図３（ｂ）ならびに図３（ｃ）に示したような構成になる。すなわち、額縁状の中フレーム３は、ｙ方向の分割面３ｓで第１の支持体３０１と第３の支持体３０３に分割されており、該分割面３ｓを挟んで連結している第１の支持体３０１と第３の支持体３０３の上には、上フレーム２の第１の支持体２０１が延在している。
【００３１】
また、額縁状の上フレーム２は、ｘ方向の分割面２ｓで第１の支持体２０１と第３の支持体２０３に分割されており、該分割面２ｓを挟んで連結している第１の支持体２０１と第３の支持体２０３の下には、中フレーム３の第３の支持体３０３が延在している。
【００３２】
またこのとき、上フレーム２の第３の支持体２０３は、分割面２ｓから突出し、上フレーム２の第１の支持体２０１と平面でみて重なる固定部２０３ａを有する。固定部２０３ａは、たとえば、分割面２ｓの位置で折り曲げられており、上フレーム２の第１の支持体２０１と、中フレーム３の第３の支持体２０３の間に介在している。そして、上フレーム２の第１の支持体２０１および第３の支持体２０３の固定部２０３ａ、ならびに中フレーム３の第３の支持体３０３が平面でみて重なる位置には、それぞれ、ねじ穴（図示しない）が設けられている。このとき、上フレーム２の第１の支持体２０１および第３の支持体２０３の固定部２０３ａ、ならびに中フレーム３の第３の支持体３０３は、たとえば、該ねじ穴に通したねじ１１で、下フレーム９とねじ止め固定されている。
【００３３】
また、詳細な説明は省略するが、液晶表示装置の他の角部における上フレーム２および中フレーム３の構成は、図３（ａ）乃至図３（ｃ）に示した構成と同等の構成になっている。
【００３４】
次に、本実施例の液晶表示装置の作用、効果について説明するが、その前に、従来の液晶表示装置における中フレーム３および上フレーム２の構成の一例と、その構成における問題点の一例について説明する。
【００３５】
図４（ａ）は、従来の液晶表示装置におけるモールドフレームの概略構成を示す模式平面図である。図４（ｂ）は、従来の液晶表示装置における上フレームの概略構成を示す模式平面図である。
図５（ａ）は、従来の液晶表示装置における角部の具体的な構成の一例を示す模式平面図である。図５（ｂ）は、図５（ａ）のＤ−Ｄ’線における断面構成の一例を示す模式断面図である。
【００３６】
従来の液晶表示装置において、中フレーム３を複数個の支持体に分割するときには、たとえば、図４（ａ）に示すように、４つの角部において分割しており、ｘ方向に延びる第１の支持体３０１および第２の支持体３０２と、ｙ方向に延びる第３の支持体３０３および第４の支持体３０４とに分割している。このとき、各支持体の分割面３ｓは、本実施例の液晶表示装置と同じで、ｙ方向と平行な平面である。
【００３７】
また、上フレーム２を複数個の支持体に分割するときにも、たとえば、図４（ｂ）に示すように、４つの角部において分割しており、ｘ方向に延びる第１の支持体２０１および第２の支持体２０２と、ｙ方向に延びる第３の支持体２０３および第４の支持体２０４とに分割している。ただし、従来の液晶表示装置の場合、上フレーム２の各支持体の分割面２ｓは、中フレーム３の分割面と同じｙ方向と平行な平面であることが多い。
【００３８】
このような従来の液晶表示装置において、図１（ａ）に示した液晶表示装置の左上の角部の領域ＡＲ１に相当する領域の上フレーム２および中フレーム３の構成は、たとえば、図５（ａ）および図５（ｂ）に示したような構成になる。すなわち、額縁状の中フレーム３は、ｙ方向の分割面３ｓで第１の支持体３０１と第３の支持体３０３に分割されており、上フレーム２も、ｙ方向の分割面２ｓで第１の支持体２０１と第３の支持体２０３に分割されている。
【００３９】
またこのとき、上フレーム２の第１の支持体２０１は、分割面２ｓから突出し、上フレーム２の第３の支持体２０３と平面でみて重なる固定部２０１ａを有する。固定部２０１ａは、たとえば、分割面２ｓの位置で折り曲げられており、上フレーム２の第３の支持体２０３と、中フレーム３の第３の支持体２０３の間に介在している。そして、上フレーム２の第１の支持体２０１の固定部２０１ａおよび第２の支持体２０３、ならびに中フレーム３の第３の支持体３０３が平面でみて重なる位置には、それぞれ、ねじ穴（図示しない）が設けられている。このとき、上フレーム２の第１の支持体２０１の固定部２０１ａおよび第３の支持体２０３、ならびに中フレーム３の第３の支持体３０３は、たとえば、該ねじ穴に通したねじ１１で、下フレーム９とねじ止め固定されている。
【００４０】
このような従来の液晶表示装置において、搬送時の振動などで、たとえば、図５（ａ）に示したように、液晶表示パネル１が−ｘ方向にずれると、液晶表示パネル１の左端の切断端面が中フレーム３の第３の支持体３０３に接触し、第３の支持体３０３に外力Ｆｘが加わる。このとき、中フレーム３を構成する各支持体３０１，３０２，３０３，３０４はｙ方向の分割面３ｓで分割されているので、液晶表示パネル１からの外力Ｆｘを受けた中フレーム３の第３の支持体３０３は、第１の支持体３０１および第２の支持体３０２から離れる方向に移動しようとする。  
【００４１】
このとき、中フレーム３の第３の支持体３０３は、ねじ１１などにより、上フレーム２の第１の支持体２０１および第３の支持体２０３と固定されているが、上フレーム２の第３の支持体２０３は、中フレーム３を構成する各支持体のうちの第３の支持体３０３のみに固定されている。また、上フレーム２の第３の支持体２０３は、ｙ方向の分割面により上フレーム２の第１の支持体２０１や第２の支持体２０２と分割されている。そのため、たとえば、上フレーム２の第１の支持体２０１の分割面２ｓに、図５（ｂ）に示したような折り曲げ箇所があると、その折り曲げ箇所が延びるような方向に外力Ｆｙが加わり、中フレーム３の第３の支持体３０３が第１の支持体３０１および第２の支持体３０２から離れ、広がってしまうという問題があった。
【００４２】
これに対して、本実施例の液晶表示装置において、搬送時の振動などで、たとえば、図３（ａ）に示したように、液晶表示パネル１が−ｘ方向にずれると、液晶表示パネル１の左端の切断端面が中フレーム３の第３の支持体３０３に接触し、第３の支持体３０３に外力Ｆｘが加わる。このときも、中フレーム３を構成する各支持体３０１，３０２，３０３，３０４はｙ方向の分割面３ｓで分割されているので、液晶表示パネル１からの外力Ｆｘを受けた中フレーム３の第３の支持体３０３は、第１の支持体３０１および第２の支持体３０２から離れる方向に移動しようとする。
【００４３】
しかしながら、中フレーム３の第３の支持体３０３は、たとえば、上フレーム２の第１の支持体２０１とねじ１１で固定されている。このとき、上フレーム２の第１の支持体２０１は、たとえば、中フレーム３の第１の支持体３０１や第４の支持体３０４ともねじで固定されている。そのため、たとえば、中フレーム３の第１の支持体３０１により、第３の支持体３０３に加わる外力Ｆｘと反対方向の力が発生し、第３の支持体３０３が外側に開くのを防ぐことができる。
【００４４】
また、搬送時の振動などで、たとえば、図３（ａ）に示したように、液晶表示パネル１が−ｙ方向にずれると、液晶表示パネル１の上端の切断端面が中フレーム３の第１の支持体３０１に接触し、第１の支持体３０１に外力Ｆｙが加わる。このとき、中フレーム３を構成する各支持体３０１，３０２，３０３，３０４はｙ方向の分割面３ｓで分割されているので、液晶表示パネル１からの外力Ｆｙを受けた中フレーム３の第１の支持体３０１は、第３の支持体３０３および第４の支持体３０４から離れる方向に移動しようとする。
【００４５】
しかしながら、中フレーム３の第１の支持体３０１は、たとえば、上フレーム２の第１の支持体２０１とねじで固定されている。このとき、上フレーム２の第１の支持体２０１は、たとえば、中フレーム３の第３の支持体３０３や第４の支持体３０４ともねじ１１で固定されている。そのため、中フレーム３の第３の支持体３０３および第４の支持体３０４により、たとえば、中フレーム３の第１の支持体３０１や上フレーム２の第１の支持体２０１に加わる外力Ｆｙと反対方向の力が発生し、第１の支持体３０１が外側に開くのを防ぐことができる。
【００４６】
以上説明したように、本実施例の液晶表示装置によれば、上フレーム２の分割面２ｓの方向と中フレーム３の分割面３ｓの方向を概ね直交させることにより、各フレーム部材を複数個の支持体に分割したことによる剛性の低下を防ぐことができる。そのため、表示パネルの支持が不十分でぐらついたり、ねじれたりするのを防げる。
【００４７】
以上、本発明を、前記実施例に基づき具体的に説明したが、本発明は、前記実施例に限定されるものではなく、その要旨を逸脱しない範囲において、種々変更可能であることはもちろんである。
【００４８】
たとえば、前記実施例では、蛍光管６および反射板７ならびに光学シート８を有する直下型のバックライトユニットを備える透過型または半透過型の液晶表示装置を例に挙げたが、バックライトユニットの構成は、サイドライト型またはエッジライト型と呼ばれる構成であってもよいことはもちろんである。
【００４９】
また、前記実施例では、バックライトユニットを備える透過型または半透過型の液晶表示装置を例に挙げたが、これに限らず、反射型の液晶表示装置であってもよいことはもちろんである。
【００５０】
また、前記実施例では、液晶表示パネル１を用いた液晶表示装置を挙げたが、本発明は、液晶表示装置に限らず、表示パネルの表示面側およびその裏面側に配置された２つの額縁状のフレーム部材で該表示パネルを支持し、かつ、各フレーム部材が複数個の支持体で構成されている表示装置であれば、どのような表示装置にも適用できることはもちろんである。つまり、本発明は、たとえば、ＰＤＰ（Ｐｌａｓｍａ  Ｄｉｓｐｌａｙ  Ｐａｎｅｌ）や、有機ＥＬ（ＥｌｅｃｔｒｏＬｕｍｉｎｅｓｃｅｎｃｅ）を用いた自発光型の表示装置などにも適用できる。
【図面の簡単な説明】
【００５１】
【図１（ａ）】本発明による一実施例の液晶表示装置の概略構成の一例を示す模式平面図である。
【図１（ｂ）】図１（ａ）のＡ−Ａ’線における断面構成の一例を示す模式断面図である。
【図２（ａ）】本実施例の液晶表示装置におけるモールドフレームの概略構成を示す模式平面図である。
【図２（ｂ）】本実施例の液晶表示装置における上フレームの概略構成を示す模式平面図である。
【図３（ａ）】本実施例の液晶表示装置における角部の具体的な構成の一例を示す模式平面図である。
【図３（ｂ）】図３（ａ）のＢ−Ｂ’線における断面構成の一例を示す模式断面図である。
【図３（ｃ）】図３（ａ）のＣ−Ｃ’線における断面構成の一例を示す模式断面図である。
【図４（ａ）】従来の液晶表示装置におけるモールドフレームの概略構成を示す模式平面図である。
【図４（ｂ）】従来の液晶表示装置における上フレームの概略構成を示す模式平面図である。
【図５（ａ）】従来の液晶表示装置における角部の具体的な構成の一例を示す模式平面図である。
【図５（ｂ）】図５（ａ）のＤ−Ｄ’線における断面構成の一例を示す模式断面図である。
【符号の説明】
【００５２】
１…液晶表示パネル
２…第１のフレーム部材（上フレーム）
３…第２のフレーム部材（中フレーム）
２０１，３０１…第１の支持体
２０２，３０２…第２の支持体
２０３，３０３…第３の支持体
２０４，３０４…第４の支持体
２ｓ，３ｓ…分割面（連結面）
２０１ａ，２０３ａ…固定部
４，５，１０…クッション材
６…蛍光管
７…反射板
８…光学シート
９…第３のフレーム部材（下フレーム）
１１…ねじ
【図１（ａ）】
2008052039.tif 000003
【図１（ｂ）】
2008052039.tif 000004
【図２（ａ）】
2008052039.tif 000005
【図２（ｂ）】
2008052039.tif 000006
【図３（ａ）】
2008052039.tif 000007
【図３（ｂ）】
2008052039.tif 000008
【図３（ｃ）】
2008052039.tif 000009
【図４（ａ）】
2008052039.tif 000010
【図４（ｂ）】
2008052039.tif 000011
【図５（ａ）】
2008052039.tif 000012
【図５（ｂ）】
2008052039.tif 000013